(57)【特許請求の範囲】
【請求項１】
複数の区域に分割された記録領域を有する、該区域にマークが書き込まれることにより情報が記録され、該マークが読み出されることにより情報が再生される情報記録媒体に対する該マークの書込みを行うマーク書込部と、
前記マーク書込部によってマークが書き込まれた区域が正常な区域であるか不良な区域であるかを判定する判定部と、
不良な区域であると前記判定部によって判定された区域におけるマークの記録状態を、その区域に起因する隣接区域へのクロストークが低下するように変更する記録状態変更部とを備えたことを特徴とする不良区域処理装置。
【請求項２】
前記記録状態変更部が、不良な区域であると前記判定部によって判定された区域に書き込まれたマークを消去するものであることを特徴とする請求項１記載の不良区域処理装置。
【請求項３】
前記記録状態変更部が、不良な区域であると前記判定部によって判定された区域に書き込まれたマークに起因するクロストークよりも低いクロストークを生じるマークをその区域に上書きするものであることを特徴とする請求項１記載の不良区域処理装置。
【請求項４】
前記記録状態変更部が、不良な区域であると前記判定部によって判定された区域に書き込まれたマークよりも長さが短いマークをその区域に上書きするものであることを特徴とする請求項１記載の不良区域処理装置。
【請求項５】
前記記録状態変更部が、不良な区域であると前記判定部によって判定された区域に書き込まれたマークよりも幅が狭いマークをその区域に上書きするものであることを特徴とする請求項１記載の不良区域処理装置。
【請求項６】
前記記録状態変更部が、不良な区域であると前記判定部によって判定された区域にマークが書き込まれたパワーよりも弱いパワーでその区域にマークを上書きするものであることを特徴とする請求項５記載の不良区域処理装置。
【請求項７】
複数の区域に分割された記録領域を有する、該区域にマークが書き込まれることにより情報が記録され、該マークが読み出されることにより情報が再生される情報記録媒体上の区域に対する該マークの書込みを行うマーク書込過程と、
前記マーク書込過程でマークが書き込まれた区域が正常な区域であるか不良な区域であるかを判定する判定過程と、
不良な区域であると前記判定過程で判定された区域におけるマークの記録状態を、その区域に起因する隣接区域へのクロストークが低下するように変更する記録状態変更過程とを含むことを特徴とする不良区域処理方法。
【請求項８】
複数の区域に分割された記録領域を有する、該区域にマークが書き込まれることにより情報が記録され、該マークが読み出されることにより情報が再生される情報記録媒体に情報を記録する情報記録装置において、
前記情報記録媒体に対する前記マークの書込みを行うマーク書込部と、
前記マーク書込部によってマークが書き込まれた区域が正常な区域であるか不良な区域であるかを判定する判定部と、
不良な区域であると前記判定部によって判定された区域におけるマークの記録状態を、その区域に起因する隣接区域へのクロストークが低下するように変更する記録状態変更部とを備えたことを特徴とする情報記録装置。
【発明の詳細な説明】
【０００１】
【発明の属する技術分野】
本発明は、複数の区域を含む情報記録媒体上の不良な区域を処理する不良区域処理装置と不良区域処理方法、およびその情報記録媒体に情報を記録する情報記録装置に関する。
【０００２】
【従来の技術】
音声データや画像データを記録再生するための高密度な情報記録媒体として光記録媒体や磁気記録媒体などが知られている。このような情報記録媒体には、一般に、螺旋状あるいは同心円状のトラックが設けられ、さらに、それらのトラックが、一般にセクタと称される複数の区域に区切られている。そして、それらのセクタに磁場や熱によってマークが書き込まれることによって情報が記録され、そのマークが磁場や光などによって読み出されることによって情報が再生される。
【０００３】
このようなセクタは、情報記録媒体上に多数設けられるものであり、情報記録媒体の製造や使用の際に不良なセクタが生じる場合がある。そこで、情報記録媒体に情報を記録する情報記録装置や、情報記録媒体をフォーマットするフォーマット装置には、従来より、そのような不良なセクタの使用を禁止する処理や、正常な予備のセクタをそのような不良なセクタの代わりとして登録する処理などを行う不良区域処理装置としての機能が備えられている。
【０００４】
【発明が解決しようとする課題】
ところで、近年のコンピュータ技術の向上に伴って音声データや画像データのデータサイズや使用量が増大しており、情報記録媒体の記録密度の向上が強く望まれている。そして、情報記録媒体の記録密度を大きく向上させるためには、トラックピッチの縮小化が求められている。
【０００５】
トラックピッチを縮小化する技術としては、記録媒体に交互に設けられた溝型のグルーブおよび突条型のランドの双方に情報を記録する、ランド及びグルーブ記録という技術が提案されている。
【０００６】
図１は、ランド及びグルーブ記録が採用された情報記録媒体上のセクタを表す図である。
【０００７】
この図１には、１本のグルーブ１と、そのグルーブを挟んだ２本のランド２，３が示されており、これらのグルーブ１およびランド２，３の双方がトラックとして用いられ、各トラックには複数のセクタが設けられている。また、これら複数のセクタそれぞれには、セクタ同士を区別する番号が付されている。例えばこの図のグルーブ１上には、第１０番セクタＳｃｔ１０、第１１番セクタＳｃｔ１１、第１２番セクタＳｃｔ１２…が設けられており、このグルーブ１を挟む２本のランド２，３には、それぞれ、第０番セクタＳｃｔ０、第１番セクタＳｃｔ１、第２番セクタＳｃｔ２…、および第２０番セクタＳｃｔ２０、第２１番セクタＳｃｔ２１、第２２番セクタＳｃｔ２２…が設けられている。つまり、１トラック内に設けられた各セクタには連番が付され、トラックを横切る方向で互いに隣接するセクタには、互いに１０番違いの番号が付されている。
【０００８】
このように、ランド及びグルーブ記録では、グルーブとランドの双方がトラックとして用いられる。このため、グルーブおよびランドのうち一方のみがトラックとして用いられる技術に対してトラックピッチが単純に約２分の１となり、線記録密度が同じであれば記録密度を約２倍にすることができ、高密度記録を実現する上で極めて重要な技術である。
【０００９】
ところが、このようなランド及びグルーブ記録などが採用されてトラックピッチが大幅に縮小化されると、あるトラック上のマークを読み出す際に、そのトラックに隣接するトラック上のマークに起因するクロストークによって、マークの読出しが妨げられるという問題が生じる。例えば、図１の第１１セクタＳｃｔ１１に記録されているマークを読み出す際には、第１セクタＳｃｔ１のマークや第２１セクタＳｃｔ２１のマークに起因するクロストークが発生する。
【００１０】
図２は、クロストークの例を示すグラフである。
【００１１】
この図２のグラフの上段には、マークが存在しないイレーズ状態のセクタに対する読出しを行った場合に得られる読出信号の信号波形４が示されている。このイレーズ状態のセクタに対して、トラックを横切る方向で隣接するセクタにはマークが書き込まれている。
【００１２】
また、この図２のグラフの下段には、その読出信号のうちの有意な部分を表すゲート信号の波形５が示されている。グラフの上段に示された読出信号の信号波形４のうち、下段に示されたゲート信号の波形５が立ち上がっている時間間隔に対応する部分だけが有意な信号波形である。
【００１３】
読出信号の信号波形４には平らな波形４＿１とスパイク状の波形４＿２が存在し、平らな波形４＿１は、イレーズ状態のセクタに起因する信号を表しており、スパイク状の波形４＿２は、隣接トラック上のセクタに起因するクロストークを表している。このようなクロストークの信号強度は、本来の読出信号との区別が困難な程度に強い場合があり、その場合にはマークの読出しが妨げられる。
【００１４】
従来の不良区域処理装置や不良区域処理方法では、不良なセクタの使用を禁止する処理や、正常な予備のセクタを不良なセクタの代わりとして登録する処理などが行われた後も、その不良なセクタに対して、トラックを横切る方向に隣接するセクタにおけるマークの読出しを、その不良なセクタに起因する上述したようなクロストークが妨げ続けるという問題を生じる。
【００１５】
上記問題は、ランド及びグルーブ記録が採用された光ディスク装置で特に顕著に生じる問題ではあるが、このような装置に限って生じる問題ではなく、トラックピッチが狭い情報記憶装置において一般的に生じる問題である。
【００１６】
本発明は、上記事情に鑑み、不良セクタに隣接するセクタにおけるマークの読出しが正常に行われるように不良セクタを処理することができる不良セクタ処理装置、不良セクタ処理方法、およびそのような不良セクタ処理装置としての機能が備えられた情報記録装置を提供することを目的とする。
【００１７】
本発明が用いられると、トラックピッチの縮小化が図られた場合であってもマークの読出しが正常に行われるため、情報記録媒体の高密度化を大きく前進させることができる。
【００１８】
【課題を解決するための手段】
上記目的を達成する本発明の不良区域処理装置は、複数の区域に分割された記録領域を有する、その区域にマークが書き込まれることにより情報が記録され、記録されたマークが読み出されることにより情報が再生される情報記録媒体に対するマークの書込みを行うマーク書込部と、
マーク書込部によってマークが書き込まれた区域が正常な区域であるか不良な区域であるかを判定する判定部と、
不良な区域であると判定部によって判定された区域におけるマークの記録状態を、その区域に起因するクロストークが低下するように変更する記録状態変更部とを備えたことを特徴とする。
【００１９】
ここにいう「区域」とは、一般にセクタと称されるものであってもよく、あるいは、複数のセクタからなるブロックであってもよく、あるいは、セクタが複数に分割されてなるものであってもよい。
【００２０】
また、記録状態変更部は、マーク書込部を使って記録状態を変更するものであってもよく、あるいはマーク書込部とは独立の手段を使って記録状態を変更するものであってもよい。
【００２１】
また、本発明の不良区域処理装置は、情報記録媒体に情報を記録する情報記録装置に組み込まれたものであってもよく、あるいは情報記録媒体をフォーマットするフォーマット装置に組み込まれたものであってもよい。
【００２２】
本発明の不良区域処理装置によれば、不良な区域の記録状態が、その区域に起因するクロストークが低下するように変更されるので、不良な区域に隣接する区域におけるマークの読出しが正常に行われることとなる。
【００２３】
本発明の不良区域処理装置は、上記記録状態変更部が、不良な区域であると判定部によって判定された区域に書き込まれたマークを消去するものであることが好ましい。
【００２４】
不良な区域のマークを消去することにより、容易にクロストークを低下させることができる。
【００２５】
本発明の不良区域処理装置は、上記記録状態変更部が、不良な区域であると判定部によって判定された区域に書き込まれたマークに起因するクロストークよりも低いクロストークを生じるマークをその区域に上書きするものであることが好適である。
【００２６】
ここで、「低いクロストークを生じるマーク」とは、既存のマークよりも長さが短いマークであってもよく、あるいは既存のマークよりも幅が狭いマークであってもよい。
【００２７】
情報記録媒体から情報再生を行うためには、不良な区域を含む複数の区域を順次に走査する必要が生じる場合がある。この場合には、その不良な区域にマークが存在していると、後で詳述する理由により、安定した走査が可能となる。
【００２８】
なお、既存のマークよりも幅が狭いマークは、既存のマークが書き込まれたパワーよりも弱いパワーでマークが書き込まれることによって容易に実現される。
【００２９】
上記目的を達成する本発明の不良区域処理方法は、複数の区域に分割された記録領域を有する、その区域にマークが書き込まれることにより情報が記録され、記録されたマークが読み出されることにより情報が再生される情報記録媒体上の区域に対するマークの書込みを行うマーク書込過程と、
マーク書込過程でマークが書き込まれた区域が正常な区域であるか不良な区域であるかを判定する判定過程と、
不良な区域であると判定過程で判定された区域におけるマークの記録状態を、その区域に起因するクロストークが低下するように変更する記録状態変更過程とを含むことを特徴とする。
【００３０】
さらに、上記目的を達成する本発明の情報記録装置は、複数の区域に分割された記録領域を有する、その区域にマークが書き込まれることにより情報が記録され、記録されたマークが読み出されることにより情報が再生される情報記録媒体に情報を記録する情報記録装置において、
情報記録媒体に対するマークの書込みを行うマーク書込部と、
マーク書込部によってマークが書き込まれた区域が正常な区域であるか不良な区域であるかを判定する判定部と、
不良な区域であると前記判定部によって判定された区域におけるマークの記録状態を、その区域に起因するクロストークが低下するように変更する記録状態変更部とを備えたことを特徴とする。
【００３１】
一般に情報記録装置では、ある区域に対する情報記録の試行が所定回数繰り返されても情報記録に失敗した場合に、その区域が不良であると判定される。そのように情報記録に失敗した場合には、不完全な情報を表すマークがその区域に書き込まれていることが多く、そのようなマークに起因するクロストークは、本来の情報との区別が困難である。従って、本発明によるクロストークの低減が特に効果的である。
【００３２】
なお、本発明にいう不良区域処理方法および情報記録装置については、ここではその基本形態のみを示すのにとどめるが、これは単に重複を避けるためであり、本発明にいう不良区域処理方法および情報記録装置には、上記の基本形態の不良区域処理方法および情報記録装置のみではなく、前述した不良区域処理装置の各形態に対応する各種の形態の不良区域処理方法および情報記録装置が含まれる。
【００３３】
【発明の実施の形態】
以下、本発明の実施形態について説明する。
【００３４】
図３は、本発明の情報記録装置の一実施形態を示す図である。
【００３５】
この図３に示す情報記録装置には、本発明の不良区域処理装置の一実施形態としての機能が組み込まれており、本発明の不良区域処理方法の一実施形態によって処理を行う。
【００３６】
この情報記録装置１００は、情報記録媒体２００として光磁気（ＭＯ）ディスクを用いるいわゆるＭＯディスク装置である。この情報記録媒体２００の記録領域は、図１に示すようなセクタに区分されている。これらのセクタは、本発明にいう区域の一例である。
【００３７】
情報記録媒体２００は、スピンドルモータ１１０によって保持される。このスピンドルモータ１１０の回転駆動は、ＭＰＵ（Ｍｉｃｒｏ  ＰｒｏｃｅｓｓｏｒＵｎｉｔ）１２０によって制御される。このＭＰＵ１２０は、不揮発性メモリ１２１に記憶されたプログラムに従って本発明にいう判定部として動作し、ＤＲＡＭ１２２を作業領域として利用する。
【００３８】
また、情報記録装置１００にはレーザダイオードユニット１３０が備えられており、情報再生時には、レーザダイオードユニット１３０から所定強度のレーザ光が発せられる。そのレーザ光の強度は、ディテクタ群１３１に含まれたモニタフォトディテクタによってモニタされ、そのモニタフォトディテクタで得られたモニタ信号に基づいてライト回路１３２によって制御される。そして、そのレーザ光は、ポジショナ１４０に搭載された対物レンズ１４１によって情報記録媒体２００上に照射され、情報記録媒体２００に記録されている情報に応じた反射光を生じる。その反射光が、ディテクタ群１３１に含まれたＩＤ／ＭＯ用ディテクタによって受光されてＩＤ信号およびＭＯ信号が検出される。それらＩＤ信号およびＭＯ信号は、リード回路１３３に入力され、再生データとデータ解析用のクロック信号に変換される。この再生データは、光ディスクコントローラ１３４を介して、コンピュータなどといった上位装置のインターフェースへと送られる。
【００３９】
一方、情報記録時には、上位装置のインターフェースから光ディスクコントローラ１３４を介して記録データが送られて来て、データ書込用のクロック信号と共にライト回路１３２に入力される。また、情報記録媒体２００の初期化（フォーマット）時には、光ディスクコントローラ１３４でフォーマットデータが生成されて、データ書込用のクロック信号と共にライト回路１３２に入力される。ライト回路１３２は、バスを介してＭＰＵ１２０によって制御されるとともにデータ書込用のクロック信号に同期して動作し、記録データおよびフォーマットデータを変調してレーザダイオード駆動電流に変換する。そのレーザダイオード駆動電流がレーザダイオードユニット１３０に入力されてレーザ光が発せられる。リード回路１３３は、情報記録時およびフォーマット時にも稼働しており、リード回路１３３で得られた再生データがＭＰＵ１２０に送られて、セクタの良／不良の判定に用いられる。つまり、ＭＰＵ１２０は、本発明にいう判定部の一例に相当する。
【００４０】
また、情報記録時およびフォーマット時には、電磁石１５０に電流が供給されて情報記録媒体２００上に記録磁界が発生される。そして、この記録磁界と、上述した書込信号に応じたレーザ光の熱によって情報記録媒体２００に情報が記録され、あるいは情報記録媒体２００がフォーマットされる。つまり、電磁石１５０、レーザダイオード１３０、対物レンズ１４１などによって、本発明にいうマーク書込部の一例が構成されている。また、ここでは、このように構成されたマーク書込部の一例とＭＰＵ１２０によって、本発明にいう記録状態変更部の一例が構成されている。
【００４１】
また、情報記録装置１００には、対物レンズ１４１を駆動するレンズアクチュエータ１４２が備えられており、上述したポジショナ１４０は、対物レンズ１４１およびレンズアクチュエータ１４２を搭載して情報記録媒体２００の表面に沿って移動する。ポジショナ１４０およびレンズアクチュエータ１４２には、ドライバ１４３によってトラックフォーカス制御電流が供給されて制御される。ドライバ１４３は、ＤＳＰ（Ｄｉｇｉｔａｌ  Ｓｉｇｎａｌ  Ｐｒｏｃｅｓｓｏｒ）１４４からＤ／Ａ変換回路１４５を介して入力される制御信号に応じたトラックフォーカス制御電流を出力する。また、ＤＳＰ１４４は、ディテクタ群１３１によって得られるトラッキングエラーシグナル（ＴＥＳ）およびフォーカスエラーシグナル（ＦＥＳ）を、Ａ／Ｄ変換回路１４６を介して取り込んで解析し、解析結果に基づいた制御信号をドライバ１４３に入力する。
【００４２】
不揮発性メモリ１２１にはＤＳＰ１４４の動作を表すプログラムも記憶されており、ＤＲＡＭ１２２は、ＤＳＰ１４４の作業領域としても利用される。
【００４３】
このような情報記録装置１００の動作について、以下、フローチャートを参照しながら説明する。
【００４４】
図４は、媒体初期化／検査処理のフローチャートである。
【００４５】
図３に示す情報記録装置１００は、情報記録媒体２００を初期化（フォーマット）しながら情報記録媒体２００上の各セクタを検査する媒体初期化／検査処理を、ユーザの指示に応じて実行する。
【００４６】
この媒体初期化／検査処理が開始されると、まず、１つのセクタが初期化され（ステップＳ１０１）、そのセクタが不良セクタであるか否かが検査される（ステップＳ１０２）。この検査は、セクタにマークを試し書きしてそのマークが異常か正常かを調べるという一般的な手法で行われる。その検査の結果、そのセクタが不良セクタであると判明した場合には、その不良セクタに起因するクロストークを低減する、後述するクロストーク低減処理が実行されて（ステップＳ１０３）、その不良セクタの使用を禁止する処理が実行される（ステップＳ１０４）。
【００４７】
情報記録媒体の全セクタについての初期化が未了である間は（ステップＳ１０５：Ｎｏ）、これらのステップＳ１０１〜ステップＳ１０４が繰り返し実行され、全セクタについて初期化が終了する（ステップＳ１０５：Ｙｅｓ）と、媒体初期化／検査処理が終了する。
【００４８】
上記ステップＳ１０３で実行されるクロストーク低減処理としては、例えば、以下説明するような処理が考えられる。
【００４９】
クロストーク低減処理の第１例としては、不良セクタに書き込まれているマークを消去する消去処理が考えられる。この消去処理は単純な処理であり、クロストークの原因となるマーク自体を消去するのでクロストークを確実に低減する事ができる。
【００５０】
クロストーク低減処理の第２例としては、不良セクタに書き込まれているマークが発生するクロストークよりも低いレベルのクロストークを発生するマークをその不良セクタに上書きする上書処理が考えられる。この上書処理で不良セクタに上書きされるマークとしては、例えば、不良セクタに書き込まれているマークよりも長さや幅が小さいマークが考えられる。マークの長さは、図３に示すレーザダイオード１３０の発光時間などで調整することができ、マークの幅は、レーザダイオード１３０のレーザパワーで調整することができる。
【００５１】
図５は、マーク長が長いマークを示す図であり、図６は、マーク長が短いマークを示す図である。
【００５２】
図５および図６には、１本のグルーブ２１０と、そのグルーブ２１０を挟んだ２本のランド２２０，２３０が示されており、そのグルーブ２１０上にはマーク２４０，２５０が書き込まれている。ここでは、情報記録媒体に記録されるマークの長さには最大値と最小値が定められており、図５に示すマーク２４０は、マーク長の最大値に近い長いマーク長を有するマークであり、図６に示すマーク２５０は、マーク長の最小値に近い短いマーク長を有するマークである。そして、図６に示すような短いマーク長のマーク２５０は、図５に示すような長いマーク長のマーク２４０が発生するクロストークのレベルよりも低いレベルのクロストークを発生する。
【００５３】
従って、不良セクタに書き込まれているマークのマーク長よりも短いマーク長のマークをその不良セクタに上書きすることにより、クロストークを低減することができる。
【００５４】
図７は、マーク幅が異なるマークを示す図である。
【００５５】
この図７には、図５や図６と同様に、１本のグルーブ２１０と、そのグルーブ２１０を挟んだ２本のランド２２０，２３０が示されている。また、ここでは、そのグルーブ２１０上に、互いにマーク幅が異なる３つのマーク２６０，２７０，２８０が示されている。これら３つのマーク２６０，２７０，２８０それぞれが書き込まれるときのレーザパワーは、マーク幅がもっとも狭いマーク２６０が書き込まれるときのレーザパワーがもっとも弱く、マーク幅がもっとも広いマーク２８０が書き込まれるときのレーザパワーがもっとも強い。また、これら３つのマーク２６０，２７０，２８０それぞれに起因するクロストークのレベルは、マーク幅がもっとも狭いマーク２６０に起因するクロストークのレベルが最も低く、マーク幅がもっとも広いマーク２８０に起因するクロストークのレベルが最も高い。
【００５６】
従って、不良セクタに書き込まれているマークのマーク幅よりも狭いマーク幅のマークをその不良セクタに上書きすることにより、クロストークを低減することができる。そのような狭いマーク幅のマークは、不良セクタにマークが書き込まれたパワーよりも弱いパワーでマークを上書きすることで実現される。
【００５７】
図８は、クロストーク低減処理の第２例の効果を説明するグラフである。
【００５８】
このグラフの横軸は、マークが書き込まれたパワーを示しており、このグラフの縦軸は、そのマークが書き込まれたセクタに隣接するセクタのマークを読み出す際に生じた読出しエラーのエラーレートを示している。また、黒い四角が付された折れ線グラフ３１０は、図５に示す長いマーク２４０についての測定結果を表しており、白い四角が付された折れ線グラフ３２０は、図６に示す短いマーク２５０についての測定結果を表している。
【００５９】
エラーレートの許容レベルは、一般に約１０-3であり、黒い四角が付された折れ線グラフ３１０が示すエラーレートと、白い四角が付された折れ線グラフ３２０が示すエラーレートとの双方とも、ある程度パワーが低いときには許容レベル以下に達する。従って、ある程度低いパワーで不良セクタにマークを上書きすることによって、不良セクタに隣接するセクタにおける正常なマーク読出しが保証されることとなる。
【００６０】
また、白い四角が付された折れ線グラフ３２０が許容レベル以下のエラーレートを示すパワー範囲の上限は、黒い四角が付された折れ線グラフ３１０が許容レベル以下のエラーレートを示すパワー範囲の上限を越えている。このため、マークを書き込むパワーが強い場合であっても、短いマークを不良セクタに上書きすることによって、不良セクタに隣接するセクタにおける正常なマーク読出しが可能となる。
【００６１】
ここで、消去処理に対する上書処理の利点について説明する。
【００６２】
不良セクタが存在するトラックであっても、その不良セクタ以外のセクタが正常であれば、そのトラックに対するトラッキングが行われて、その正常なセクタに対するマークの読出しが行われる。
【００６３】
図９は、不良セクタが存在するトラックに対するトラッキングが行われる様子を示す図である。
【００６４】
ここでは、グルーブ２１０上の第４番セクタＳｃｔ４が不良セクタであり、そのグルーブ２１０がトラッキングされるものとする。
【００６５】
レーザビームのスポット３３０は、グルーブ２１０をなぞりながら、第３番セクタＳｃｔ３、第４番セクタＳｃｔ４、および第５番セクタＳｃｔ５を順次に通過し、第３番セクタＳｃｔ３および第５番セクタＳｃｔ５に対するマークの読出しが行われる。
【００６６】
図１０は、不良セクタ前後での読出し信号を示す模式図である。
【００６７】
ここでは、不良セクタに対して消去処理が行われた場合の読出し信号３４０が示されており、不良セクタである第４番セクタＳｃｔ４と、正常なセクタである第３番セクタＳｃｔ３および第５番セクタＳｃｔ５とでは、読出し信号３４０のレベルが極端に異なっている。
【００６８】
トラッキングの際には、読出し信号３４０を解読するためのスライスレベル３５０が、読出し信号３４０のレベルに追随して変化しており、第４番セクタＳｃｔ４上をトラッキングしている際には、スライスレベル３５０が極端に低いレベルに落ちている。このため、第５番セクタＳｃｔ５の先頭部分３６０では、読出し信号３４０の変化にスライスレベル３５０が追いつけず、読出しエラーとなる可能性が高い。
【００６９】
このような現象を回避するためには、不良セクタにもマークが書き込まれる上書処理が好適である。
【００７０】
以上説明したようなクロストーク低減処理が不良セクタに施されることによって、不良セクタに隣接するセクタでは正常なマーク読出が行われることとなる。
【００７１】
以下では、上述した情報記録装置１００の他の動作について説明する。
【００７２】
図１１は、ライト処理のフローチャートである。
【００７３】
上述した情報記録装置１００は、情報記録媒体にマークを書き込むライト処理を、ユーザの指示に応じて実行する。
【００７４】
このライト処理が開始されると、上位装置から送られてきた記録データに応じたマークが情報記録媒体上のセクタに書き込まれ、その書き込まれたマークが正確であることを確かめる照合（Ｗｒｉｔｅ  Ｖｅｒｉｆｙ）が行われる（ステップＳ２０１）。
【００７５】
照合結果が正常であると（ステップＳ２０２：Ｙｅｓ）そのままライト処理が終了する。一方、照合結果が異常である場合には（ステップＳ２０２：Ｎｏ）、マークが書き込まれたセクタは不良セクタであると判定され、その不良セクタに対して、上述したクロストーク低減処理が施される（ステップＳ２０３）。そして、不良セクタを予備のセクタと交代させる交代処理が行われて（ステップＳ２０４）ライト処理が終了する。
【００７６】
このようなライト処理では、マークの書込みに失敗することで発見される不良セクタに不完全に書き込まれたマークが、上述したクロストーク低減処理によって消去されあるいは上書きされる。不完全に書き込まれたマークは、本来の読出し信号との区別が困難なクロストークを発生するので、クロストーク低減処理によりクロストークを低減することが効果的である。
【００７７】
図１２は、別のライト処理のフローチャートである。
【００７８】
この図１２に示すライト処理では、図１１に示すライト処理と同様に、記録データに応じたマークのセクタへの書込みと、そのマークの照合（Ｗｒｉｔｅ  Ｖｅｒｉｆｙ）が行われ（ステップＳ３０１）、照合結果が正常であると（ステップＳ３０２：Ｙｅｓ）そのままライト処理が終了する。
【００７９】
照合結果が異常である場合には（ステップＳ３０２：Ｎｏ）、マークの書込みの試行回数が規定値以下であるという限度において（ステップＳ３０３：Ｙｅｓ）、マーク書込のパワーが上げられて（ステップＳ３０４）上記ステップＳ３０１に戻る。
【００８０】
試行回数が規定値を越えた場合には、そのセクタは不良セクタであると判定され、上記同様に、クロストーク低減処理（ステップＳ３０５）と、交代処理が行われて（ステップＳ３０６）ライト処理が終了する。
【００８１】
この図１２に示すようなライト処理では、不良セクタであると判定されるまでにマーク書込のパワーが繰り返し上げられてマーク書込が試行される。このため、不良セクタ上には、強いクロストークを発生する不完全なマークが書き込まれることとなるので、クロストーク低減処理によるクロストークの低減が極めて効果的である。
【００８２】
なお、上記実施形態では、マークを書き込むパワーとしてレーザパワーを例示したが、本発明にいうパワーは、磁場の強度などであってもよい。
【００８３】
また、上記実施形態では、情報記憶媒体として光記録方式の光磁気ディスクが用いられるが、本発明にいう情報記憶媒体は、光磁気記録方式、相変化記録方式、および磁気記録方式といった各記録方式の光磁気ディスクであってもよく、光ディスクや磁気ディスクといった他のディスク型記憶媒体であってもよく、あるいは、カード型やテープ型の記憶媒体であってもよい。
【００８４】
また、本発明にいう区域は、上記実施形態で例示したセクタであってもよく、あるいは複数のセクタからなるブロックでもよく、あるいはセクタを更に分割したものであってもよい。
【００８５】
また、上記実施形態では、電磁石やレーザダイオードなどがマーク書込部を構成すると共に、記録状態変更部の一部分としても利用される。しかし、本発明にいう記録状態変更部は、マークを消去する手段やマークを書き換える手段などを、マーク書込部とは独立に備えたものであってもよい。
【００８６】
（付記１）  複数の区域に分割された記録領域を有する、該区域にマークが書き込まれることにより情報が記録され、該マークが読み出されることにより情報が再生される情報記録媒体に対する該マークの書込みを行うマーク書込部と、前記マーク書込部によってマークが書き込まれた区域が正常な区域であるか不良な区域であるかを判定する判定部と、
不良な区域であると前記判定部によって判定された区域におけるマークの記録状態を、その区域に起因するクロストークが低下するように変更する記録状態変更部とを備えたことを特徴とする不良区域処理装置。
【００８７】
（付記２）  前記記録状態変更部が、不良な区域であると前記判定部によって判定された区域に書き込まれたマークを消去するものであることを特徴とする請求項１記載の不良区域処理装置。
【００８８】
（付記３）  前記記録状態変更部が、不良な区域であると前記判定部によって判定された区域に書き込まれたマークに起因するクロストークよりも低いクロストークを生じるマークをその区域に上書きするものであることを特徴とする付記１記載の不良区域処理装置。
【００８９】
（付記４）  前記記録状態変更部が、不良な区域であると前記判定部によって判定された区域に書き込まれたマークよりも長さが短いマークをその区域に上書きするものであることを特徴とする付記１記載の不良区域処理装置。
【００９０】
（付記５）  前記記録状態変更部が、不良な区域であると前記判定部によって判定された区域に書き込まれたマークよりも幅が狭いマークをその区域に上書きするものであることを特徴とする付記１記載の不良区域処理装置。
【００９１】
（付記６）  前記記録状態変更部が、不良な区域であると前記判定部によって判定された区域にマークが書き込まれたパワーよりも弱いパワーでその区域にマークを上書きするものであることを特徴とする付記５記載の不良区域処理装置。
【００９２】
（付記７）  複数の区域に分割された記録領域を有する、該区域にマークが書き込まれることにより情報が記録され、該マークが読み出されることにより情報が再生される情報記録媒体上の区域に対する該マークの書込みを行うマーク書込過程と、
前記マーク書込過程でマークが書き込まれた区域が正常な区域であるか不良な区域であるかを判定する判定過程と、
不良な区域であると前記判定過程で判定された区域におけるマークの記録状態を、その区域に起因するクロストークが低下するように変更する記録状態変更過程とを含むことを特徴とする不良区域処理方法。
【００９３】
（付記８）  前記記録状態変更過程が、不良な区域であると前記判定過程で判定された区域に書き込まれたマークを消去するものであることを特徴とする付記７記載の不良区域処理方法。
【００９４】
（付記９）  前記記録状態変更過程が、不良な区域であると前記判定過程で判定された区域に書き込まれたマークに起因するクロストークよりも低いクロストークを生じるマークをその区域に上書きするものであることを特徴とする付記７記載の不良区域処理方法。
【００９５】
（付記１０）  前記記録状態変更過程が、不良な区域であると前記判定過程で判定された区域に書き込まれたマークよりも長さが短いマークをその区域に上書きするものであることを特徴とする付記７記載の不良区域処理方法。
【００９６】
（付記１１）  前記記録状態変更過程が、不良な区域であると前記判定過程で判定された区域に書き込まれたマークよりも幅が狭いマークをその区域に上書きするものであることを特徴とする付記７記載の不良区域処理方法。
【００９７】
（付記１２）  前記記録状態変更過程が、不良な区域であると前記判定過程で判定された区域にマークが書き込まれたパワーよりも弱いパワーでその区域にマークを上書きするものであることを特徴とする付記１１記載の不良区域処理方法。
【００９８】
（付記１３）  複数の区域に分割された記録領域を有する、該区域にマークが書き込まれることにより情報が記録され、該マークが読み出されることにより情報が再生される情報記録媒体に情報を記録する情報記録装置において、
前記情報記録媒体に対する前記マークの書込みを行うマーク書込部と、
前記マーク書込部によってマークが書き込まれた区域が正常な区域であるか不良な区域であるかを判定する判定部と、
不良な区域であると前記判定部によって判定された区域におけるマークの記録状態を、その区域に起因するクロストークが低下するように変更する記録状態変更部とを備えたことを特徴とする情報記録装置。
【００９９】
（付記１４）  前記記録状態変更部が、不良な区域であると前記判定部によって判定された区域に書き込まれたマークを消去するものであることを特徴とする付記１３記載の情報記録装置。
【０１００】
（付記１５）  前記記録状態変更部が、不良な区域であると前記判定部によって判定された区域に書き込まれたマークに起因するクロストークよりも低いクロストークを生じるマークをその区域に上書きするものであることを特徴とする付記１３記載の情報記録装置。
【０１０１】
（付記１６）  前記記録状態変更部が、不良な区域であると前記判定部によって判定された区域に書き込まれたマークよりも長さが短いマークをその区域に上書きするものであることを特徴とする付記１３記載の情報記録装置。
【０１０２】
（付記１７）  前記記録状態変更部が、不良な区域であると前記判定部によって判定された区域に書き込まれたマークよりも幅が狭いマークをその区域に上書きするものであることを特徴とする付記１３記載の情報記録装置。
【０１０３】
（付記１８）  前記記録状態変更部が、不良な区域であると前記判定部によって判定された区域にマークが書き込まれたパワーよりも弱いパワーでその区域にマークを上書きするものであることを特徴とする付記１７記載の情報記録装置。
【０１０４】
【発明の効果】
以上説明したように、本発明によれば、不良セクタに隣接するセクタにおけるマークの読出しが正常に行われる。このため、本発明を利用することによって、トラックピッチの縮小化が図られた場合であっても正常なマークの読出しが可能となり、情報記録媒体の高密度化が大きく前進する。
【図面の簡単な説明】
【図１】ランド及びグルーブ記録が採用された情報記録媒体上のセクタを表す図である。
【図２】クロストークの例を示すグラフである。
【図３】本発明の情報記録装置の一実施形態を示す図である。
【図４】媒体初期化／検査処理のフローチャートである。
【図５】マーク長が長いマークを示す図である。
【図６】マーク長が短いマークを示す図である。
【図７】マーク幅が異なるマークを示す図である。
【図８】クロストーク低減処理の第２例の効果を説明するグラフである。
【図９】不良セクタが存在するトラックに対するトラッキングが行われる様子を示す図である。
【図１０】不良セクタ前後での読出し信号を示す模式図である。
【図１１】ライト処理のフローチャートである。
【図１２】別のライト処理のフローチャートである。
【符号の説明】
１００    情報記録装置
１１０    スピンドルモータ
１２０    ＭＰＵ（Ｍｉｃｒｏ  Ｐｒｏｃｅｓｓｏｒ  Ｕｎｉｔ）
１２１    不揮発性メモリ
１２２    ＤＲＡＭ
１３０    レーザダイオードユニット
１３１    ディテクタ群
１３２    ライト回路
１３３    リード回路
１３４    光ディスクコントローラ
１４０    ポジショナ
１４１    対物レンズ
１４２    レンズアクチュエータ
１４３    ドライバ
１４４    ＤＳＰ（Ｄｉｇｉｔａｌ  Ｓｉｇｎａｌ  Ｐｒｏｃｅｓｓｏｒ）
１４５    Ｄ／Ａ変換回路
１５０    電磁石
１４６    Ａ／Ｄ変換回路
２００    情報記録媒体
２１０    グルーブ
２２０，２３０    ランド
２４０，２５０，２６０，２７０，２８０    マーク
Ｓｃｔ０，Ｓｃｔ１，…    セクタ
【図１】
0003842543.tif 000002
【図２】
0003842543.tif 000003
【図３】
0003842543.tif 000004
【図４】
0003842543.tif 000005
【図５】
0003842543.tif 000006
【図６】
0003842543.tif 000007
【図７】
0003842543.tif 000008
【図８】
0003842543.tif 000009
【図９】
0003842543.tif 000010
【図１０】
0003842543.tif 000011
【図１１】
0003842543.tif 000012
【図１２】
0003842543.tif 000013